(57)【特許請求の範囲】
【請求項１】
レンズを嵌め込んだフロントフレームの両端に形成されたヨロイにそれぞれ板バネを介してテンプルを折り畳み可能に連結する眼鏡のテンプル連結構造であって、
前記ヨロイには眼鏡の内側方向を開口し前記板バネの一部が収納されるヨロイ溝が形成され、
前記板バネは、前記ヨロイ溝に収納されて前記ヨロイにネジ固定される係止孔を有する基部と、前記基部から延びるとともに前記ヨロイ溝奥の壁部に当接する当接部と、前記基部から延びて前記テンプルの端部に回動可能に連結されるとともに所定範囲で弾性変形可能な弾性部と、により構成され、
前記弾性部は、眼鏡の外側方向に弾性変形した状態で、その先端が前記当接部の先端に掛止されることを特徴とする眼鏡のテンプル連結構造。
【請求項２】
前記ヨロイ溝は複数形成されるとともに、前記複数のヨロイ溝にそれぞれ前記板バネの一部が収納されることを特徴とする請求項１に記載の眼鏡のテンプル連結構造。
【請求項３】
請求項１又は請求項２に記載の眼鏡のテンプル連結構造を用いたことを特徴とする眼鏡フレーム。
【発明の詳細な説明】
【技術分野】
【０００１】
本発明は、眼鏡のテンプル連結構造及び眼鏡フレームに関し、詳しくは、板バネを用いた眼鏡のテンプル連結構造及び眼鏡フレームに関する。
【背景技術】
【０００２】
従来より、眼鏡の装着時のフィット感を高めるために、ヨロイとテンプルを連結する蝶番にバネ等の弾性体を組み込み、テンプルを開いたときに弾性体の弾性力によって、装着者の顔側面から頭部にかけてテンプルをフィットさせるテンプル連結構造がある。このような構造として、例えば弾性体としてコイルバネを用い、開いた状態のテンプルをさらに外方向へ押し開くとコイルバネが圧縮変形するようにし、これにより生じたバネの復元力によりテンプルを戻し方向へ付勢させるテンプル連結構造がある（例えば特許文献１）。
【０００３】
しかし、上述の構成では、蝶番の軸と軸を挿通する回動片のほかに、少なくともコイルバネ、バネを収納するバネボックス、バネを押圧する押圧コマといった部材が必要であり、テンプル連結構造が複雑なものとなり製造及び修理が困難なものとなっていた。
【０００４】
そこで近年、製造及び修理をより簡単なものとするために、弾性体として板バネを用いたテンプル連結構造が提案されている。板バネを用いたテンプル連結構造としては、例えば、図１２に示すように、ヨロイ１０１に板バネ１０２の一端が固定されるとともに、板バネ１０２の他端と前記テンプル１０３の端部とが回動可能に蝶番で連結されるテンプル連結構造（例えば特許文献２）や、図１３に示すように、ヨロイ１０１の内部に空間１０７を形成すると共に該空間に板バネ１０２の基部を固定することで、図１３（Ａ）に示すように空間１０７の一方の内壁から、図１３（Ｂ）に示すように空間１０７の他方の内壁まで、板バネ１０２の先端側を弾性変形可能とし、そして板バネ１０２先端には蝶番１０４の一方側蝶片１０５を固定し、他方側蝶片１０６をテンプル１０３に固定したテンプル連結構造（例えば特許文献３）が挙げられる。
【特許文献１】特開平５−２９７３２７号公報
【特許文献２】特開２００７−２０６３６１号公報
【特許文献３】特開２００５−１６５１９３号公報
【発明の開示】
【発明が解決しようとする課題】
【０００５】
しかし、上述のような板バネを用いたテンプル連結構造にあっては、板バネがヨロイに１点で固定されているだけであるので、ヨロイに対して板バネががたつき易い。また、テンプルは弾性を有する板バネに回動可能に固定されているだけであるので、このようなテンプル連結構造を有する眼鏡を装着していないときに、板バネの弾性変形によってテンプルが不必要に揺れる虞がある。
【０００６】
そこで、本発明は、眼鏡の装着時にはフィット感を高めることができるとともに、板バネのがたつき及びテンプルの不必要な揺れを抑止することができる眼鏡の連結構造及び眼鏡フレームを提供することを目的とする。
【課題を解決するための手段】
【０００７】
上記目的を達成するために、請求項１に記載の眼鏡のテンプル連結構造は、レンズを嵌め込んだフロントフレームの両端に形成されたヨロイにそれぞれ板バネを介してテンプルを折り畳み可能に連結する眼鏡のテンプル連結構造であって、前記ヨロイには眼鏡の内側方向を開口し前記板バネの一部が収納されるヨロイ溝が形成され、前記板バネは、前記ヨロイ溝に収納されて前記ヨロイにネジ固定される係止孔を有する基部と、前記基部から延びるとともに前記ヨロイ溝奥の壁部に当接する当接部と、前記基部から延びて前記テンプルの端部に回動可能に連結されるとともに所定範囲で弾性変形可能な弾性部と、により構成され、前記弾性部は、眼鏡の外側方向に弾性変形した状態で、その先端が前記当接部の先端に掛止されることを特徴としている。
【０００８】
なお、ここで「眼鏡の内側方向」とは、眼鏡を装着したときに装着者の側となる方向をいい、「眼鏡の外側方向」とは、眼鏡を装着したときに装着者と反対側となる方向をいう。
【０００９】
また、請求項２に記載の眼鏡のテンプル連結構造は、請求項１に記載の眼鏡のテンプル連結構造であって、前記ヨロイ溝は複数形成されるとともに、前記複数のヨロイ溝にそれぞれ前記板バネの一部が収納されることを特徴としている。
【００１０】
請求項３に記載のメガネフレームは、請求項１又は請求項２に記載の眼鏡のテンプル連結構造を用いたことを特徴としている。
【発明の効果】
【００１１】
本発明の請求項１によると、板バネは基部と当接部と弾性部とにより構成されており、基部に設けられた係止孔でヨロイにネジ固定されるとともに、当接部がヨロイ溝奥の壁部に当接する。このように弾性変形する弾性部とは別に当接部を設けたことで、眼鏡のテンプルを押し広げて板バネを弾性変形させたときでも、当接部がヨロイ溝奥の壁部に当接した状態を保つことができるので、板バネがヨロイに対してがたつきにくい。
【００１２】
また、弾性部は、眼鏡の外側方向に弾性変形した状態でその先端が前記当接部の先端に掛止されるので、弾性部には常に眼鏡の内側方向への復元力が維持されたまま当接部先端に掛止されることとなる。このように構成されることで、弾性部に眼鏡の外側方向への所定未満の弱い力が加わったとしても内側方向への復元力があるので外側方向に弾性変形することはない。そして、弾性部は、内側方向への復元力以上の力が外側方向に加わった場合のみ弾性変形することができる。したがって、板バネが不必要に弾性変形することを防ぐことができ、テンプルが不必要に揺れることを防ぐことができる。
【００１３】
本願の請求項２に記載の発明によると、複数形成されたヨロイ溝にそれぞれ板バネの一部を収納するので、一枚の板バネでヨロイとテンプルとを連結する場合に比べて、より強固に連結することができ、テンプルのがたつきをより抑制することができる。
【００１４】
本願請求項３に記載の発明によると、請求項１又は請求項２に記載の眼鏡のテンプル連結構造を用いるので、上述のいずれかの効果を有する眼鏡フレームとすることができる。
【発明を実施するための最良の形態】
【００１５】
以下、本発明に係る眼鏡のテンプル連結構造１及び眼鏡フレーム２の最良の実施形態について、図面を参照しつつ説明する。
【００１６】
眼鏡フレーム２は、図１に示すように、眼鏡の前面であるフロントフレーム３と、フロントフレーム３の両端にフロントフレーム３と一体に形成されるヨロイ４と、フロントフレーム３に折り畳み可能なテンプル５と、ヨロイ４にテンプルを連結する板バネ６と、を含む構成である。
【００１７】
フロントフレーム３は、例えばアセテート等の合成樹脂により形成されており、その両端にはヨロイ４が一体形成されている。なお、フロントフレーム３の材質は合成樹脂に限られるものではなく、例えばチタン等の金属で形成されても良い。ヨロイ４は、図２に示すように、内側に開口する２本のヨロイ溝４１が形成されており、このヨロイ溝４１には板バネ６が一部をテンプル５側に突出させた状態で収納される。また、図示されていないがヨロイ４下側には板バネ６をネジ固定することができるように、バネ止め孔４２が開けられている。
【００１８】
テンプル５は、フロントフレーム３と同様に例えばアセテート等の合成樹脂で形成された長尺の部材であり、連結側端部に設けられた突片５１が連結軸７に外嵌して板バネ６に回動可能に係着することができる。なお、テンプル５の材質は合成樹脂に限られるものではなく、例えばチタン等の金属で形成されても良い。板バネ６は、図３に示すように、係止孔６１が設けられた基部６２と、基部６２から伸びておりヨロイ溝４１に収納されたときにヨロイ溝４１の奥の壁部４３（図６参照）に当接する当接部６３と、基部６２から延びる平面視略Ｚ字状の弾性部６４とを具備する。この弾性部６４の先端には、当接部６３の先端に形成された被掛止部６５に掛止される掛止部６６が形成されている。また、弾性部６４の先端寄りには連結軸７を挿通する軸孔６７が設けられている。
【００１９】
この板バネ６を製作するときには、図３（Ａ）に示すように、被掛止部６５に掛止部６６は掛止されていない状態で製作される。このときには板バネ６は殆ど弾性変形していない。そして、この板バネ６を用いてヨロイ４にテンプル５を連結させるときには、図３（Ｂ）に示すように、被掛止部６５に掛止部６６を掛止させる。これにより弾性部６４は、当接部６３方向にやや弾性変形された状態を維持される。開いた状態のテンプル５を更に外側方向に押し広げたときには、図３（Ｃ）に示すように、弾性部６４が弾性変形して当接部６３との間の間隙及び弾性部６４内の間隙が狭まって、テンプル５を軸支する連結軸７の位置が外側方向に移動する。なおこのとき、当接部６３は殆ど弾性変形していない。
【００２０】
このように掛止部６６に被掛止部６５を掛止させることで、弾性部６４は掛止部６６の移動にともなって外側方向に弾性変形した状態を維持する。そして、弾性部６４の復元力により掛止部６６は内側方向に力がかかった状態で被掛止部６５に掛止される。このように掛止部６６は被掛止部６５に掛止されることで、内側方向に力が加わっても内側方向に移動することなくその状態を維持する。また、常に内側方向に力が加わっているので、外側方向に所定未満の小さな力が加わった場合にも外側方向に移動することなくその状態を維持する。したがって、少しの力が加わっただけでは板バネ６は弾性変形せずそのままの状態を維持するので、テンプル５が不必要に揺れることを防ぐことを抑制できる。
【００２１】
テンプル５に対して外側方向の所定以上の大きな力が加わった場合には、弾性部６４が弾性変形して掛止部６６及び連結軸７が外側方向に移動する。したがって、テンプル５を外側方向に押し広げることができる。このとき当接部６３は殆ど弾性変形しないので、ヨロイ溝４１の奥の壁部４３に当接した状態を維持することとなる。このように当接部６３がヨロイ溝４１の奥の壁部４３に当接した状態を維持することで、板バネ６がヨロイ４に対してがたつくことを抑制することができる。
【００２２】
次に、ヨロイ４に板バネ６を固定する構造について図４から図６を参照しつつ説明する。なお、図５は、板バネ６をヨロイ４に固定する構造を説明する斜視図であるが、説明の都合上ヨロイ４の構成を省略している。ヨロイ４に板バネ６を固定するときには、ボルト８１と、ボルト８１を挿通するワッシャー８２と、ボルト８１に螺合される袋ナット８３と、を用いる。ボルト８１は、ヨロイ４に下側から掘られたバネ止め孔４２に挿入できる大きさであり、ワッシャー８２に嵌挿した状態で袋ナット８３と螺合できる長さのものである。また、ワッシャー８２はバネ止め孔４２の内周面の径よりやや小さな外径の円筒状の部材であって、一端側がテーパー状に尖っている。袋ナット８３は、ワッシャー８２とほぼ同じ外径であって、内周面にボルト８１と螺合する雌ネジを有し、開口端がテーパー状に尖って形成されている。
【００２３】
以上のような構成を用いてヨロイ４に板バネ６を固定するときには、図６に良く表れているように、まず、バネ止め孔４２に袋ナット８３を袋ナット８３の開口していない側の端部から挿入する。そして、袋ナット８３が挿入された状態で、ヨロイ４に形成された２つのヨロイ溝４１にそれぞれ板バネ６を挿入し、板バネ６の当接部６３をヨロイ溝４１の奥の壁部４３に当接させる。ここで、板バネ６の係止孔６１は当接部６３をヨロイ溝４１の奥の壁部４３に当接させたときに、その軸芯がヨロイ４のバネ止め孔４２の軸芯よりもやや眼鏡内側方向にずれて位置するように形成されている。次に、ワッシャー８２を尖った端部からバネ止め孔４２に挿入する。そしてボルト８１をバネ止め孔４２に挿入し、ワッシャー８２及び２つの板バネ６の係止孔６１を嵌挿させつつ袋ナット８３に螺合させる。
【００２４】
このようにボルト８１を袋ナット８３に螺合させたときに、袋ナット８３及びワッシャー８２の尖った端部は互いに対向し、ボルト８１を更に締めると袋ナット８３及びワッシャー８２は互いに近づく方向に移動する。したがって、袋ナット８３に螺合したボルト８１を更に締めると、袋ナット８３とワッシャー８２との間に挟まれている２枚の板バネ６のそれぞれの係止孔６１に袋ナット８３又はワッシャー８２が当接する。係止孔６１はバネ止め孔４２に対して内側方向にずれているので、袋ナット８３及びワッシャー８２のテーパー状に尖った端部の眼鏡外方向側がバネ止め孔４２に当接される。そして、ボルト８１を更に締めようとすると、袋ナット８３及びワッシャー８２の双方が互いに接近する方向に力が加わり、それぞれの係止孔６１に当接する部分を介して板バネ６に眼鏡外方向側の力が加わる。したがって、板バネ６の当接部６３はヨロイ４のヨロイ溝４１の奥の壁部４３に押し付けられるので、板バネ６をがたつくことなくヨロイ４に固定することができる。
【００２５】
次に、以上のような眼鏡を装着するときの眼鏡のテンプル連結構造の動きについて、図７から図９を参照しつつ説明する。板バネ６の弾性部６４に形成された軸孔６７とテンプル５の突片５１に設けられた図示しない回動孔とには、互いに整合した状態で連結軸７が挿入されており、テンプル５は板バネ６に対して回動可能となっている。ここで、テンプル５は開いた状態及び閉じた状態のときに板バネ６と当接するように形成されており、テンプル５の板バネ６に対する回動範囲を例えば９０度に規制している。
【００２６】
まず、両側の閉じられた状態のテンプル５をそれぞれ回動範囲で開く。そして、更に板バネ６を弾性変形させてテンプル５を外側に押し広げる。このとき板バネ６の当接部６３はヨロイ４のヨロイ溝４１の奥の壁部４３に当接しているので、当接部６３は弾性変形せずに壁部４３に押し付けられる。そして、弾性部６４が弾性変形してテンプル５と連結している連結軸７を外方向に移動させることで、テンプル５を外側方向に押し広げる。弾性部６４が外側方向に弾性変形すると弾性部６４の先端に形成された掛止部６６がヨロイ４と当接するので、弾性部６４は掛止部６６が被掛止部６５に掛止された状態からヨロイ４と当接する状態の範囲で弾性変形する。このように弾性部６４の変形範囲が限られているので、板バネ６が塑性変形することを防ぐことができる。そして、テンプル５を押し広げた状態で眼鏡をかけると、板バネ６の復元力により眼鏡装着者の顔側面から頭部にテンプル５がフィットする。
【００２７】
本発明の実施の形態は上述の形態に限ることなく、本発明の思想の範囲を逸脱しない範囲で適宜変更することができる。
【００２８】
本実施形態においては、ヨロイ４のヨロイ溝４１が２つ形成されておりそれぞれのヨロイ溝４１に板バネ６を収納する構成であったが、本実施形態の構成はこれに限定されるものではない。例えばヨロイ溝４１及び板バネ６を３以上用いることで、より安定的にヨロイ４とテンプル５とを連結することができる。また例えばヨロイ４に２以上のヨロイ溝４１を形成するスペースがない場合には、図１０に示すように、ヨロイ４にヨロイ溝４１を１つのみ形成し板バネ６を収納する構成とすることもできる。
【００２９】
また、本実施形態においては、ワッシャー８２及び袋ナット８３の相対する側の端部がテーパー状に尖って形成されていることで、板バネががたつくことをより効果的に防ぐことができるが、図１１に示すようにワッシャー８２及び袋ナット８３の端部が平面で形成されるものであってもよい。この場合には、板バネ６の基部６２に形成された係止孔６１は軸芯が、バネ止め孔４２及びボルト８１の軸芯とほぼ同一位置になるように形成され、且つ係止孔６１の内径がボルト８１の雄ネジ部分の山の外径とほぼ同じに形成されればよい。このように形成されることで、ボルト８１の雄ネジの山に係止孔６１の内周面が密接して板バネ６ががたつくことを効果的に抑制することができる。
【産業上の利用可能性】
【００３０】
本発明は、眼鏡のヨロイ４とテンプル５とを連結する構造及び眼鏡フレーム２に好適に適用することができる。
【図面の簡単な説明】
【００３１】
【図１】眼鏡フレームを示す正面図及び平面図。
【図２】眼鏡のテンプル連結構造を示す部分斜視図及びその一部拡大図。
【図３】板バネの構成及び弾性変形を示す平面図。
【図４】眼鏡のテンプル連結構造の構成を示す分解部分斜視図。
【図５】板バネをヨロイに固定する構造を示す一部省略斜視図。
【図６】板バネをヨロイに固定する構造を示す断面図。
【図７】眼鏡のテンプルを展開する状態を示す図。
【図８】眼鏡を装着するときの板バネ及びテンプルの動きを示す図。
【図９】眼鏡を装着するときの板バネの動きを説明する拡大断面図。
【図１０】ヨロイ溝が１つのみ形成されたときの板バネをヨロイに固定する構造を示す断面図。
【図１１】ワッシャー及び袋ナットが平面で形成されたときの板バネをヨロイに固定する構造を示す断面図。
【図１２】眼鏡のテンプル連結構造の従来例を示す図。
【図１３】眼鏡のテンプル連結構造の他の従来例を示す図。
【符号の説明】
【００３２】
１      テンプルの連結構造
２      眼鏡フレーム
４      ヨロイ
５      テンプル
６      板バネ
４１    ヨロイ溝
４２    バネ止め孔
４３    壁部
６１    係止孔
６２    基部
６３    当接部
６４    弾性部
８１    ボルト
８２    ワッシャー
８３    袋ナット
【図１】
0004873324.tif 000002
【図２】
0004873324.tif 000003
【図３】
0004873324.tif 000004
【図４】
0004873324.tif 000005
【図５】
0004873324.tif 000006
【図６】
0004873324.tif 000007
【図７】
0004873324.tif 000008
【図８】
0004873324.tif 000009
【図９】
0004873324.tif 000010
【図１０】
0004873324.tif 000011
【図１１】
0004873324.tif 000012
【図１２】
0004873324.tif 000013
【図１３】
0004873324.tif 000014